(57)【要約】【課題】情報信号に含まれる関連情報を検出するための信号をネットワーク経由で検出サーバへ送信し、検出サーバ側で検出された関連情報に対する処理結果に基づいて情報信号の処理を制限することができる情報処理装置、情報処理方法および情報処理システムを提供する。【解決手段】使用者側機器２は、情報信号に対して繰り返し重畳されている同一の関連情報を検出するための検出用信号を取り出すフィルタ部１１と、検出用信号を透かし検出サーバ３に送信し、検出用信号から検出された関連情報に対する処理結果を受信する通信部１３と、処理結果を用いて情報信号の処理を制限するように制御する制御部１５と、処理結果を警告管理サーバ４と通信可能に保存する透かし検出結果蓄積部１４を備えた。【選択図】　図１
2004054710.tif 000002
【特許請求の範囲】
【請求項１】
情報信号に関する関連情報を検出するための検出用信号を取出して上記検出用信号に基づいてネットワークに接続されている他の装置と所定情報の通信をする情報処理装置において、
情報信号に対して繰り返し重畳されている同一の関連情報を検出するための検出用信号を取り出す検出用信号取り出し手段と、
上記検出用信号を他の装置に送信し、上記検出用信号から検出された関連情報に対する処理結果を受信する通信手段と、
上記処理結果を用いて上記情報信号の処理を制限するように制御する制御手段と、
上記処理結果を他の装置と通信可能に保存する保存手段と、
を備えたことを特徴とする情報処理装置。
【請求項２】
請求項１記載の情報処理装置において、
上記検出用信号は、上記情報信号に重畳された電子透かし情報であることを特徴とする情報処理装置。
【請求項３】
請求項１記載の情報処理装置において、
上記検出用信号は、上記電子透かし情報を検出するためのコンテンツ情報であることを特徴とする情報処理装置。
【請求項４】
請求項１記載の情報処理装置において、
上記検出用信号は、上記電子透かし情報を検出するためのコンテンツ情報の中で検出に必要な要素を選択したものであることを特徴とする情報処理装置。
【請求項５】
請求項１記載の情報処理装置において、
上記制御手段は、上記処理結果に基づいて、上記情報信号に対する処理を実行するための条件の不備が検出されたときに警告を発生することを特徴とする情報処理装置。
【請求項６】
請求項１記載の情報処理装置において、
上記制御手段は、上記処理結果に基づいて、上記情報信号に対する処理を実行するための条件の不備が検出されたときに警告を発生する際にその検出回数に応じて警告を変化して発生することを特徴とする情報処理装置。
【請求項７】
請求項１記載の情報処理装置において、
上記制御手段は、上記処理結果に基づいて、上記情報信号に対する処理を実行するための条件の不備が検出されたときにその検出回数に応じて上記情報信号に対する処理の機能に制限を加えることを特徴とする情報処理装置。
【請求項８】
請求項１記載の情報処理装置において、
上記制御手段は、上記保存手段に保存された処理結果に基づいて、上記情報信号に対する処理を実行するための条件の不備が検出されたときに上記情報信号に対する次回の処理を停止することを特徴とする情報処理装置。
【請求項９】
請求項８記載の情報処理装置において、
上記制御手段は、上記保存手段に保存された処理結果に基づいて、上記情報信号に対する処理を実行するための条件の不備が検出されたときに他の装置における上記情報信号に対する処理の機能に制限を加えることを特徴とする情報処理装置。
【請求項１０】
請求項１記載の情報処理装置において、
上記検出用信号は、上記電子透かし情報を検出するためのコンテンツ情報の特徴量または上記特徴量抽出のためのコンテンツ情報であることを特徴とする情報処理装置。
【請求項１１】
請求項１記載の情報処理装置において、
上記制御手段が、上記処理結果に基づいて、上記情報信号に対する処理を実行するための条件の不備が検出されたときに警告を発生する際にその検出回数に応じて警告を変化して発生したとき、
上記通信手段による上記その他の装置との通信結果に基づいて、上記その他の装置が上記警告を解除することを特徴とする情報処理装置。
【請求項１２】
請求項１記載の情報処理装置において、
上記制御手段が、上記処理結果に基づいて、上記情報信号に対する処理を実行するための条件の不備が検出されたときにその検出回数に応じて上記情報信号に対する処理の機能に制限を加えるとき、
上記通信手段による上記その他の装置との通信結果に基づいて、上記その他の装置が上記制限を緩和することを特徴とする情報処理装置。
【請求項１３】
請求項１１記載の情報処理装置において、
上記通信手段による上記その他の装置との通信は、上記処理を実行するための条件の不備が検出された上記情報信号、または上記情報信号の供給源の情報を上記その他の装置へ送信するものであることを特徴とする情報処理装置。
【請求項１４】
請求項１２記載の情報処理装置において、
上記通信手段による上記その他の装置との通信は、上記情報信号に対する処理を実行するための条件の不備が検出された上記情報信号、または上記情報信号の供給源の情報を上記その他の装置へ送信するものであることを特徴とする情報処理装置。
【請求項１５】
請求項１記載の情報処理装置において、
上記情報信号の供給源は、記録媒体、またはネットワークを介してその他の装置から送信されるものであることを特徴とする情報処理装置。
【請求項１６】
請求項１５記載の情報処理装置において、
上記情報信号の供給源が記録媒体のとき、上記記録媒体の種類に応じて、上記制御手段が上記情報信号に対する処理の機能に制限を加えることを特徴とする情報処理装置。
【請求項１７】
請求項１記載の情報処理装置において、
上記情報信号の供給源がネットワークを介してその他の装置から送信されるとき、上記検出用信号取り出し手段は、所定のパラメータの設定に応じて検出用信号を取り出すことを特徴とする情報処理装置。
【請求項１８】
請求項１７記載の情報処理装置において、
上記所定のパラメータは、上記検出用信号に基づく関連情報の検出への寄与率が高い部分を選択的に設定することを特徴とする情報処理装置。
【請求項１９】
請求項１７記載の情報処理装置において、
上記所定のパラメータは、上記関連情報の周波数帯域を通過させる周波数帯域フィルタを設定することを特徴とする情報処理装置。
【請求項２０】
請求項１７記載の情報処理装置において、
上記所定のパラメータは、上記関連情報が重畳された情報信号の再生時刻の範囲を設定することを特徴とする情報処理装置。
【請求項２１】
請求項１７記載の情報処理装置において、
上記所定のパラメータは、上記関連情報が重畳された情報信号の再生映像のフレームまたはフィールドの範囲を設定することを特徴とする情報処理装置。
【請求項２２】
請求項１７記載の情報処理装置において、
上記所定のパラメータは、上記関連情報が重畳された情報信号の再生映像の画素範囲を設定することを特徴とする情報処理装置。
【請求項２３】
請求項１７記載の情報処理装置において、
上記所定のパラメータは、上記関連情報が重畳された情報信号の再生信号レベルの範囲を設定することを特徴とする情報処理装置。
【請求項２４】
請求項１７記載の情報処理装置において、
上記所定のパラメータは、上記関連情報が重畳された情報信号の帯域分離された再生信号レベルの範囲を設定することを特徴とする情報処理装置。
【請求項２５】
請求項１７記載の情報処理装置において、
上記所定のパラメータは、上記関連情報が重畳された情報信号の圧縮符号化時の変換係数を選択的に設定することを特徴とする情報処理装置。
【請求項２６】
請求項２５記載の情報処理装置において、
上記所定のパラメータは、上記関連情報が重畳された情報信号のＭＰＥＧ−２規格に準拠した圧縮符号化時のＧＯＰ構造のＩピクチャーを選択的に設定することを特徴とする情報処理装置。
【請求項２７】
情報信号に関する関連情報を検出するための検出用信号を取出して上記検出用信号に基づいてネットワークに接続されている他の装置と所定情報の通信をする情報処理方法において、
情報信号に対して繰り返し重畳されている同一の関連情報を検出するための検出用信号を取り出す検出用信号取り出しステップと、
上記検出用信号を他の装置に送信し、上記検出用信号から検出された関連情報に対する処理結果を受信する通信ステップと、
上記処理結果を用いて上記情報信号の処理を制限するように制御する制御ステップと、
上記処理結果を他の装置と通信可能に保存する保存ステップと、
を備えたことを特徴とする情報処理方法。
【請求項２８】
請求項２７記載の情報処理方法において、
上記検出用信号は、上記情報信号に重畳された電子透かし情報であることを特徴とする情報処理方法。
【請求項２９】
請求項２７記載の情報処理方法において、
上記検出用信号は、上記電子透かし情報を検出するためのコンテンツ情報であることを特徴とする情報処理方法。
【請求項３０】
請求項２７記載の情報処理方法において、
上記検出用信号は、上記電子透かし情報を検出するためのコンテンツ情報の中で検出に必要な要素を選択したものであることを特徴とする情報処理方法。
【請求項３１】
請求項２７記載の情報処理方法において、
上記制御ステップは、上記処理結果に基づいて、上記情報信号に対する処理を実行するための条件の不備が検出されたときに警告を発生することを特徴とする情報処理方法。
【請求項３２】
請求項２７記載の情報処理方法において、
上記制御ステップは、上記処理結果に基づいて、上記情報信号に対する処理を実行するための条件の不備が検出されたときに警告を発生する際にその検出回数に応じて警告を変化して発生することを特徴とする情報処理方法。
【請求項３３】
請求項２７記載の情報処理方法において、
上記制御ステップは、上記処理結果に基づいて、上記情報信号に対する処理を実行するための条件の不備が検出されたときにその検出回数に応じて上記情報信号に対する処理の機能に制限を加えることを特徴とする情報処理方法。
【請求項３４】
請求項２７記載の情報処理方法において、
上記制御ステップは、上記保存手段に保存された処理結果に基づいて、上記情報信号に対する処理を実行するための条件の不備が検出されたときに上記情報信号に対する次回の処理を停止することを特徴とする情報処理方法。
【請求項３５】
請求項２７記載の情報処理方法において、
上記制御ステップは、上記保存手段に保存された処理結果に基づいて、上記情報信号に対する処理を実行するための条件の不備が検出されたときに他の装置における上記情報信号に対する処理の機能に制限を加えることを特徴とする情報処理方法。
【請求項３６】
請求項２７記載の情報処理方法において、
上記検出用信号は、上記電子透かし情報を検出するためのコンテンツ情報の特徴量または上記特徴量抽出のためのコンテンツ情報であることを特徴とする情報処理方法。
【請求項３７】
請求項２７記載の情報処理方法において、
上記制御ステップが、上記処理結果に基づいて、上記情報信号に対する処理を実行するための条件の不備が検出されたときに警告を発生する際にその検出回数に応じて警告を変化して発生したとき、
上記通信ステップによる上記その他の装置との通信結果に基づいて、上記その他の装置が上記警告を解除することを特徴とする情報処理方法。
【請求項３８】
請求項２７記載の情報処理方法において、
上記制御ステップが、上記処理結果に基づいて、上記情報信号に対する処理を実行するための条件の不備が検出されたときにその検出回数に応じて上記情報信号に対する処理の機能に制限を加えるとき、
上記通信ステップによる上記その他の装置との通信結果に基づいて、上記その他の装置が上記制限を緩和することを特徴とする情報処理方法。
【請求項３９】
請求項３７記載の情報処理方法において、
上記通信ステップによる上記その他の装置との通信は、上記処理を実行するための条件の不備が検出された上記情報信号、または上記情報信号の供給源の情報を上記その他の装置へ送信するものであることを特徴とする情報処理方法。
【請求項４０】
請求項３８記載の情報処理方法において、
上記通信ステップによる上記その他の装置との通信は、上記情報信号に対する処理を実行するための条件の不備が検出された上記情報信号、または上記情報信号の供給源の情報を上記その他の装置へ送信するものであることを特徴とする情報処理方法。
【請求項４１】
請求項２７記載の情報処理方法において、
上記情報信号の供給源は、記録媒体、またはネットワークを介してその他の装置から送信されるものであることを特徴とする情報処理方法。
【請求項４２】
請求項２７記載の情報処理方法において、
上記情報信号の供給源が記録媒体のとき、上記記録媒体の種類に応じて、上記制御手段が上記情報信号に対する処理の機能に制限を加えることを特徴とする情報処理方法。
【請求項４３】
請求項２７記載の情報処理方法において、
上記情報信号の供給源がネットワークを介してその他の装置から送信されるとき、上記検出用信号取り出しステップは、所定のパラメータの設定に応じて検出用信号を取り出すことを特徴とする情報処理方法。
【請求項４４】
請求項４３記載の情報処理方法において、
上記所定のパラメータは、上記検出用信号に基づく関連情報の検出への寄与率が高い部分を選択的に設定することを特徴とする情報処理方法。
【請求項４５】
請求項４３記載の情報処理方法において、
上記所定のパラメータは、上記関連情報の周波数帯域を通過させる周波数帯域フィルタを設定することを特徴とする情報処理方法。
【請求項４６】
請求項４３記載の情報処理方法において、
上記所定のパラメータは、上記関連情報が重畳された情報信号の再生時刻の範囲を設定することを特徴とする情報処理方法。
【請求項４７】
請求項４３記載の情報処理方法において、
上記所定のパラメータは、上記関連情報が重畳された情報信号の再生映像のフレームまたはフィールドの範囲を設定することを特徴とする情報処理方法。
【請求項４８】
請求項４３記載の情報処理方法において、
上記所定のパラメータは、上記関連情報が重畳された情報信号の再生映像の画素範囲を設定することを特徴とする情報処理方法。
【請求項４９】
請求項４３記載の情報処理方法において、
上記所定のパラメータは、上記関連情報が重畳された情報信号の再生信号レベルの範囲を設定することを特徴とする情報処理方法。
【請求項５０】
請求項４３記載の情報処理方法において、
上記所定のパラメータは、上記関連情報が重畳された情報信号の帯域分離された再生信号レベルの範囲を設定することを特徴とする情報処理方法。
【請求項５１】
請求項４３記載の情報処理方法において、
上記所定のパラメータは、上記関連情報が重畳された情報信号の圧縮符号化時の変換係数を選択的に設定することを特徴とする情報処理方法。
【請求項５２】
請求項５１記載の情報処理方法において、
上記所定のパラメータは、上記関連情報が重畳された情報信号のＭＰＥＧ−２規格に準拠した圧縮符号化時のＧＯＰ構造のＩピクチャーを選択的に設定することを特徴とする情報処理方法。
【請求項５３】
情報信号に関する関連情報を検出するための検出用信号を取出して上記検出用信号に基づいてネットワークに接続されている他の装置と所定情報の通信をする情報処理装置と、上記情報処理装置とネットワークを介して接続されている他の装置とを有する情報処理システムにおいて、
情報信号に対して繰り返し重畳されている同一の関連情報を検出するための検出用信号を取り出す検出用信号取り出し手段と、
上記検出用信号を他の装置に送信し、上記検出用信号から検出された関連情報に対する処理結果を受信する通信手段と、
上記処理結果を用いて上記情報信号の処理を制限するように制御する制御手段と、
上記処理結果を他の装置と通信可能に保存する保存手段と、
を有する情報処理装置と、
上記情報処理装置から上記検出用信号を受信し、上記処理結果を上記情報処理装置へ送信する通信手段と、
上記検出用信号から関連情報を検出し、上記関連情報に基づく処理結果を得る検出手段と、
上記情報処理装置における上記情報信号の処理の制限を解除または緩和する解除手段を有するその他の装置と、
を備えた情報処理システム。
【発明の詳細な説明】
【０００１】
【発明の属する技術分野】
本発明は、例えば、動画像や静止画像、音声、音楽信号などの情報信号に重畳される関連情報に基づいて情報信号の処理を行う情報処理装置、情報処理方法および情報処理システムに関するものである。
【０００２】
【従来の技術】
従来、光ディスク等の記録媒体や、放送局等より衛星波や地上波、ケーブル等の伝送媒体を介して伝送されるコンテンツ等について、いわゆる電子透かしにより著作権の保護を図る方法が提案されている。この方法は、ビデオ信号やオーディオ信号等の再生に影響を与えない程度の微小な信号レベルにより、著作権に関するデータの変調信号等をビデオ信号やオーディオ信号に重畳して記録するものである。画像、音声、データ等様々なデジタルコンテンツが劣化のない状態でコピーされたりする可能性のあるデジタルネットワーク時代において、電子透かし技術はコンテンツ自身に情報を埋め込むことにより著作権を保護することのできる有力な技術である。
【０００３】
例えば、デジタルビデオ信号等の画像信号において、電子透かしを実現する手法について説明する。ここでは画像信号の持つ統計的な性質に基づいて、ＰＮ（Ｐｓｅｕｄｏｒａｎｄｏｍ　Ｎｏｉｓｅ）系列の乱数データを基本パターンとして電子透かしを埋め込む場合について考える。簡単のため輝度信号のフレームデータを水平サイズ８画素、垂直サイズ６画素とする。
まず、ＰＮ系列の乱数データＰＮを、以下の数１式とおく。
【０００４】
【数１】
2004054710.tif 000003
【０００５】
この乱数データＰＮは統計的に総和が０になるように生成される。次に埋め込み情報ＤＣをこのような性質を持つ乱数データＰＮによりスペクトラム拡散する。すなわち埋め込み情報ＤＣの極性が「１」の場合には、乱数データＰＮのパターンをそのまま使用することにより、電子透かしパターンＷＭは、以下の数２式となる。
【０００６】
【数２】
2004054710.tif 000004
【０００７】
また埋め込み情報ＤＣの極性が「０」の場合には、乱数データＰＮのパターンを反転したものを使用することにより、電子透かしパターンＷＭは、以下の数３式となる。
【０００８】
【数３】
2004054710.tif 000005
【０００９】
なお埋め込み情報ＤＣが複数の情報ビットから構成される場合には、例えば輝度信号のフレームデータを適当な小領域に分割し、各情報ビットをそれぞれの小領域に対応させればよい。また、例えば互いに直行するような複数の異なる電子透かしパターンを使用し、各情報ビットをそれぞれの電子透かしパターンに対応させればよい。また、これらの手法を組み合わせて使用してもよい。
一方、デジタルビデオ信号等の画像信号において、近接する輝度信号は同程度の画素値を持つという性質から、輝度信号のフレームデータＤＶ１を、以下の数４式とおく。
【００１０】
【数４】
2004054710.tif 000006
【００１１】
電子透かしの埋め込みは、輝度信号のフレームデータＤＶ１に電子透かしパターンＷＭを加算することによって実現する。埋め込み情報ＤＣの極性が「１」の場合には、電子透かしを埋め込んだ輝度信号のフレームデータＤＶ２は、以下の数５式となる。
【００１２】
【数５】
2004054710.tif 000007
【００１３】
このようにして電子透かしを埋め込んだ輝度信号のフレームデータＤＶ２から、埋め込み情報ＤＣを検出するためには、埋め込み時と同一のＰＮ系列の乱数データＰＮを使用する。まず元の輝度信号のフレームデータＤＶ１と乱数データＰＮと内積値Ｐ１は、以下の数６式となる。
【００１４】
【数６】
Ｐ１＝ＤＶ１・ＰＮ＝１
【００１５】
ここで、画素信号の持つ統計的な性質から内積値Ｐ１は「０」近傍の値となる。これに対して電子透かしを埋め込んだ輝度信号のフレームデータＤＶ２と乱数データＰＮとの内積Ｐ２は、埋め込み情報ＤＣの極性が「１」の場合には、以下の数７となる。
【００１６】
【数７】
Ｐ２＝ＤＶ２・ＰＮ＝（ＤＶ１＋ＷＭ）・ＰＮ＝（ＤＶ１＋ＰＮ）・ＰＮ＝Ｐ１＋ＰＮ２　＝１＋４８
【００１７】
また、埋め込み情報ＤＣの極性が「０」の場合には、以下の数８となる。
【００１８】
【数８】
Ｐ２＝ＤＶ２・ＰＮ＝（ＤＶ１＋ＷＭ）・ＰＮ＝（ＤＶ１−ＰＮ）・ＰＮ＝Ｐ１−ＰＮ２　＝１−４８
【００１９】
すなわち内積値Ｐ２の絶対値は、乱数データＰＮ２　近傍の値となる。元の輝度信号のフレームデータＤＶ１と乱数データＰＮの内積値Ｐ１および電子透かしを埋め込んだ輝度信号のフレームデータＤＶ２と乱数データＰＮの内積値Ｐ２を様々な画像に対して計算すると、内積値Ｐ１およびＰ２の分布は所定の確率密度関数で表現することができる。したがって、以下の数９式のように、適当な非負の閾値ＴＨを設定することによって、電子透かしを埋め込んだ輝度信号のフレームデータＤＶ２から埋め込み情報ＤＣを検出することができる。
【００２０】
【数９】
Ｐ２≦−ＴＨ・・・電子透かしあり（極性「０」）
｜Ｐ２｜＜ＴＨ・・・電子透かしなし
Ｐ２≧ＴＨ・・・電子透かしあり（極性「１」）
【００２１】
実際に電子透かしを実現する際には、電子透かし検出の信頼性と、電子透かしの画質に及ぼす影響の２点が重要なポイントである。電子透かしの有無を正確に判別するためには、上述した「電子透かしあり」の場合の確立密度関数と、「電子透かしなし」の場合の確立密度関数の分離を精度良く行うような閾値ＴＨを設定しなければならない。しかし実際には確率密度関数の裾野が重なり合い、電子透かしの有無を正確に判別できるような閾値ＴＨの選択は難しい。電子透かしが埋め込まれていないのに「電子透かしあり」と判断されてしまう確率を特にＦａｌｓｅ　Ｐｏｓｉｔｉｖｅと呼び、健全なコンテンツ流通を保証するためには極めて小さいＦａｌｓｅ　Ｐｏｓｉｔｉｖｅ値が要求される。したがって電子透かし検出の信頼性を向上するためには、以下の数１０式で示すように、非負のスカラーＣを用いて電子透かしの埋め込み強度を大きくする。
【００２２】
【数１０】
ＤＶ２＝ＤＶ１＋ＣＷＭ
【００２３】
【数１１】
Ｐ２＝ＤＶ２・ＰＮ＝（ＤＶ１＋ＣＷＭ）・ＰＮ＝（ＤＶ１±ＣＰＮ）・ＰＮ＝Ｐ１±ＣＰＮ２　
【００２４】
ここで、数１１式で示すように、電子透かしを埋め込んだ輝度信号のフレームデータＤＶ２と乱数データＰＮの内積値Ｐ２を十分に大きくすればよい。
しかし、このようにして電子透かしの埋め込み強度を大きくした場合、電子透かしの画質に及ぼす影響は無視できないものになってしまう。電子透かしの検出の信頼性と電子透かしの画質に及ぼす影響とは、トレードオフの関係にある。
【００２５】
電子透かしの検出の信頼性を確保しつつ、電子透かしの画質に及ぼす影響を極力抑えるためには、人間の視覚特性を効果的に利用して電子透かしを埋め込む手法が提案されている。これらの手法は人間の視覚特性を考慮して、電子透かしパターンを画像内で配分し直すものや、電子透かしパターンを画像の動きに追従させるもの等であり、全体の埋め込み強度を変えることなく電子透かしの画質に及ぼす影響を効果的に抑えている。
【００２６】
人間の目は平坦部分等の低周波領域での変化には敏感であるが、エッジ部分等の高周波領域での変化には鈍感である。これを利用して電子透かしパターンを目立ちやすい平坦部分から目立ちにくいエッジ部分へと再配分することにより、電子透かし検出の信頼性を確保しつつ、電子透かしの画質に及ぼす影響を抑えることができる。また画像が静止している場合には電子透かしパターンも静止させ、画像が動いている場合には電子透かしパターンも追従して動かすことにより、人間の目に感知しにくくなるように電子透かしを埋め込むことができる。
【００２７】
さらには電子透かしを埋め込んだ画像に対して、画像フォーマット変換、デジタル−アナログ変換、ＭＰＥＧ（Ｍｏｖｉｎｇ　Ｐｉｃｔｕｒｅ　Ｅｘｐｅｒｔｓ　Ｇｒｏｕｐ）圧縮、フィルタリング、クリッピング、リサイズ、ローテーション等の種々の攻撃を加えた場合にも、埋め込まれた電子透かし情報は正しく検出されなければならない。著作権を不当に侵そうとする者は、電子透かしを埋め込んだ画像に対して悪意を持ってこれらの攻撃を加える恐れがある。そこでこれらの攻撃に対する耐性を強化して、電子透かし検出の信頼性を確保するために、様々な手法が提案されている。しかしあらゆる攻撃に対して頑強な耐性を有するような電子透かし技術は未だ開発されておらず、早急な対策が望まれている。
【００２８】
電子透かし検出の信頼性と電子透かしの画質に及ぼす影響とはトレードオフの関係にあり、検出精度を向上するために電子透かしの埋め込み強度を大きくすると画質の劣化が無視できないものになり、画質に及ぼす影響を抑制するために電子透かしの埋め込み強度を小さくすると検出の信頼性が確保できなくなる。電子透かしの重畳・検出に際しては様々な方式が提案されているが、信頼性の高く安定した検出特性と劣化を知覚できないレベルの画質特性は未だ達成されておらず、これらを両立した電子透かし埋め込み方法を効果的に実現する必要がある。
【００２９】
また、特開平９−５５０２５号公報には、光ディスクの全データがコピーされた場合でも、実質的にコピーを禁止することが可能となることを目的とし、再生される光ディスクには、ＴＯＣ（Ｔａｂｌｅ　ｏｆ　Ｃｏｎｔｅｎｔｓ）データとして媒体信号および電子透かし情報としてコピー管理情報が記録されていて、この媒体信号が記録可能なディスクであることを示し、かつコピー管理情報がコピー禁止であることを示す場合では、再生禁止信号が「１」となることによって、スイッチ回路が制御され、再生データが出力されず、エラーメッセージデータが出力され、この再生禁止動作によって、実質的にコピーを禁止することができる情報データ再生システムの構成が開示されている。
【００３０】
【発明が解決しようとする課題】
しかし、上述した従来の情報データ再生システムでは、電子透かし情報を用いて再生制限をすることが情報信号の著作権者側から求められているが、すべての情報信号の再生装置に電子透かし検出器を装着することは困難であるという不都合があった。
【００３１】
そこで、本発明は、かかる点に鑑みてなされたものであり、情報信号に含まれる関連情報を検出するための信号をネットワーク経由で検出サーバへ送信し、検出サーバ側で検出された関連情報に対する処理結果に基づいて情報信号の処理を制限することができる情報処理装置、情報処理方法および情報処理システムを提供することを課題とする。
【００３２】
【課題を解決するための手段】
本発明の情報処理装置は、情報信号に関する関連情報を検出するための検出用信号を取出して上記検出用信号に基づいてネットワークに接続されている他の装置と所定情報の通信をする情報処理装置において、情報信号に対して繰り返し重畳されている同一の関連情報を検出するための検出用信号を取り出す検出用信号取り出し手段と、上記検出用信号を他の装置に送信し、上記検出用信号から検出された関連情報に対する処理結果を受信する通信手段と、上記処理結果を用いて上記情報信号の処理を制限するように制御する制御手段と、上記処理結果を他の装置と通信可能に保存する保存手段とを備えたものである。
【００３３】
また、本発明の情報処理方法は、情報信号に関する関連情報を検出するための検出用信号を取出して上記検出用信号に基づいてネットワークに接続されている他の装置と所定情報の通信をする情報処理方法において、情報信号に対して繰り返し重畳されている同一の関連情報を検出するための検出用信号を取り出す検出用信号取り出しステップと、上記検出用信号を他の装置に送信し、上記検出用信号から検出された関連情報に対する処理結果を受信する通信ステップと、上記処理結果を用いて上記情報信号の処理を制限するように制御する制御ステップと、上記処理結果を他の装置と通信可能に保存する保存ステップとを備えたものである。
【００３４】
また、本発明の情報処理システムは、情報信号に関する関連情報を検出するための検出用信号を取出して上記検出用信号に基づいてネットワークに接続されている他の装置と所定情報の通信をする情報処理装置と、上記情報処理装置とネットワークを介して接続されている他の装置とを有する情報処理システムにおいて、情報信号に対して繰り返し重畳されている同一の関連情報を検出するための検出用信号を取り出す検出用信号取り出し手段と、上記検出用信号を他の装置に送信し、上記検出用信号から検出された関連情報に対する処理結果を受信する通信手段と、上記処理結果を用いて上記情報信号の処理を制限するように制御する制御手段と、上記処理結果を他の装置と通信可能に保存する保存手段を有する情報処理装置と、上記情報処理装置から上記検出用信号を受信し、上記処理結果を上記情報処理装置へ送信する通信手段と、上記検出用信号から関連情報を検出し、上記関連情報に基づく処理結果を検出する検出手段と、上記情報処理装置における上記情報信号の処理の制限を解除または緩和する解除手段を有するその他の装置と、を備えたものである。
【００３５】
従って本発明によれば、以下の作用をする。
本発明の情報処理装置においては、検出用信号取り出し手段は情報信号に対して繰り返し重畳されている同一の関連情報を検出するための検出用信号を取り出すように作用する。通信手段は上記検出用信号を他の装置に送信し、上記検出用信号から検出された関連情報に対する処理結果を受信するように作用する。制御手段は上記処理結果を用いて上記情報信号の処理を制限するように制御するように作用する。保存手段は上記処理結果を他の装置と通信可能に保存するように作用する。
【００３６】
また、本発明の情報処理方法においては、検出用信号取り出しステップは情報信号に対して繰り返し重畳されている同一の関連情報を検出するための検出用信号を取り出すように作用する。通信ステップは上記検出用信号を他の装置に送信し、上記検出用信号から検出された関連情報に対する処理結果を受信するように作用する。制御ステップは上記処理結果を用いて上記情報信号の処理を制限するように制御するように作用する。保存ステップは上記処理結果を他の装置と通信可能に保存するように作用する。
【００３７】
また、本発明の情報処理システムは、情報処理装置において、検出用信号取り出し手段は情報信号に対して繰り返し重畳されている同一の関連情報を検出するための検出用信号を取り出すように作用する。通信手段は上記検出用信号を他の装置に送信し、上記検出用信号から検出された関連情報に対する処理結果を受信するように作用する。制御手段は上記処理結果を用いて上記情報信号の処理を制限するように制御するように作用する。保存手段は上記処理結果を他の装置と通信可能に保存するように作用する。その他の装置において、通信手段は上記情報処理装置から上記検出用信号を受信し、上記処理結果を上記情報処理装置へ送信するように作用する。検出手段は上記検出用信号から関連情報を検出し、上記関連情報に基づく処理結果を検出するように作用する。解除手段は上記情報処理装置における上記情報信号の処理の制限を解除または緩和するように作用する。
【００３８】
【発明の実施の形態】
以下に、本発明の実施の形態について図面を参照しながら具体的に説明する。
まず、使用者側機器２で記録媒体から再生される情報信号に重畳された関連情報をネットワークを介して使用者側機器２　に接続された透かし検出サーバ３で検出し、検出サーバ３からの検出結果に基づいて使用者側機器２内の情報信号に対する制御を行う場合を説明する。
【００３９】
図１は、本実施の形態に適用されるコンテンツマネージメントシステムの構成例を示すブロック図である。
図１において、コンテンツマネージメントシステム１は、情報信号に重畳される電子透かし情報の検出結果に基づいて情報信号を処理する使用者側機器２を有して構成される。電子透かし情報は、従来の技術に示したような手法を用いて情報信号に重畳されている。
【００４０】
また、コンテンツマネージメントシステム１は、ネットワークを介して使用者側機器２と接続され、使用者側機器２　から検出用信号を受信し、処理結果を使用者側機器２　へ送信する通信手段と、使用者側機器２から送信された電子透かし情報の検出用信号から電子透かし情報を検出してこれに対する処理結果を得る検出手段を有する透かし検出サーバ３を有して構成される。透かし検出サーバ３は、従来の技術に示したような手法を用いて電子透かし情報を検出する。
【００４１】
また、コンテンツマネージメントシステム１は、ネットワークを介して使用者側機器２と接続され、使用者側機器２　から処理結果信号を受信し、警告および制限の解除または緩和信号を使用者側機器２　へ送信する通信手段と、使用者側機器２　における情報信号の処理の制限を解除または緩和する解除手段とを有する警告管理サーバ４とを有して構成される。
使用者側機器２　は、記録メディアから情報信号を再生するドライブ部５と、再生された情報信号を監視して処理を制御するストリーム監視系６と、再生された情報信号を再生出力のために信号処理する再生系７とを有して構成される。
【００４２】
ドライブ部５は、ディスク状記録媒体に記録された情報信号を取り出す光学ピックアップ８と、ＴＯＣ（Ｔａｂｌｅ　Ｏｆ　Ｃｏｎｔｅｎｔｓ）領域に記録されている管理情報をもとにディスク状記録媒体が再生専用または記録可能であるかの種別を検出する媒体種検出部９を有して構成される。
【００４３】
ここで、情報信号は、例えば、動画像データ信号、静止画像データ信号，映画データ信号、音楽データ信号、音声データ信号、テキストデータ信号、またはコンピュータプログラムデータ信号である。また、記録メディアは、ディスク状記録媒体に限らず例えば、ＤＶＤ（Ｄｉｇｉｔａｌ　Ｖｅｒｓａｔｉｌｅ　Ｄｉｓｃ）、ＤＶＨＳ（Ｄｉｇｉｔａｌ　Ｖｉｄｅｏ　Ｈｏｍｅ　Ｓｙｓｔｅｍ）、ＤＶＣ（Ｄｉｇｉｔａｌ　Ｖｉｄｅｏ　Ｃａｍｅｒａ）、ＭＤ（Ｍｉｎｉ　Ｄｉｓｃ）、ＣＤ（Ｃｏｍｐａｃｔ　Ｄｉｓｃ）、ＶＨＳまたは８ミリフォーマットの情報信号を記録可能とするように構成された、半導体メモリ、ハードディスクまたはＢＤ（Ｂｌｕｅ−ｒａｙ　Ｄｉｓｃ）などの記録媒体であってもよい。
【００４４】
ストリーム監視系６は、ドライブ部５から供給される情報信号を再生系７用と透かし検出用の２　つに分離する信号ゲート１０と、透かし検出用の信号を取り出すためのフィルタ１１と、透かし検出用信号を蓄積する透かし検出用信号蓄積部１２とを有して構成される。
【００４５】
また、ストリーム監視系６は、透かし検出サーバ３に透かし検出用信号を送信し、透かし検出サーバ３で検出された電子透かし情報に対する検出結果を受信する通信部１３と、透かし検出サーバ３で検出された電子透かし情報に対する検出結果を保存する透かし検出結果蓄積部１４を有して構成される。
【００４６】
また、ストリーム監視系６は、警告管理サーバ４に透かし検出結果を送信し、警告管理サーバ４から送信される警告信号または処理制限信号、または警告および制限を解除する解除信号を受信する通信部１７と有して構成される。
【００４７】
また、ストリーム監視系６は、使用者側機器２　における情報信号の再生系７に対する動作を制限すると共に制限の解除または緩和を制御する制御部１５と、処理の制限を行うときに警告を発生する警告発生部１６を有して構成される。
【００４８】
また、再生系７は、圧縮されている情報信号を伸張処理して復号する圧縮復号部１６と、復号された情報信号を再生出力する再生部１９とを有して構成される。
【００４９】
ここで、関連情報は、例えば、情報信号の複製制御情報、著作権情報、ユーザーＩＤ、コンテンツＩＤ、日付、会社名または権利者名である。
【００５０】
また、関連情報は、スペクトラム拡散、パッチワークなどのウオーターマーキング処理により符号化さてもよい。
【００５１】
また、検出用信号は、電子透かし情報を検出するためのコンテンツ情報であるように構成される。
【００５２】
また、検出用信号は、電子透かし情報を検出するためのコンテンツ情報の中で検出に必要な要素を選択したものであるように構成される。
【００５３】
また、制御部１５は、処理結果に基づいて、情報信号に対する処理を実行するための条件の不備が検出されたときに警告を発生するように構成される。
【００５４】
また、制御部１５は、処理結果に基づいて、情報信号に対する処理を実行するための条件の不備が検出されたときに警告を発生する際に、その検出回数に応じて警告を変化して発生するように構成される。
【００５５】
また、制御部１５は、処理結果に基づいて、情報信号に対する処理を実行するための条件の不備が検出されたときにその検出回数に応じて情報信号に対する処理の機能に制限を加えるように構成される。
【００５６】
また、制御部１５は、透かし検出結果蓄積部１４に保存された処理結果に基づいて、情報信号に対する処理を実行するための条件の不備が検出されたときに情報信号に対する次回の処理を停止するように構成される。
【００５７】
また、制御部１５は、透かし検出結果蓄積部１４に保存された処理結果に基づいて、情報信号に対する処理を実行するための条件の不備が検出されたときに他の使用者側機器における情報信号に対する処理の機能に制限を加えるように構成される。
【００５８】
また、検出用信号は、電子透かし情報を検出するためのコンテンツ情報の特徴量または特徴量抽出のためのコンテンツ情報であるように構成される。
【００５９】
また、制御部１５が、処理結果に基づいて、情報信号に対する処理を実行するための条件の不備が検出されたときに警告を発生する際に、その検出回数に応じて警告を変化して発生したとき、通信部１７による警告管理サーバ４との通信結果に基づいて、警告管理サーバ４が警告を解除するように構成される。
【００６０】
また、制御部１５が、処理結果に基づいて、情報信号に対する処理を実行するための条件の不備が検出されたときにその検出回数に応じて情報信号に対する処理の機能に制限を加えるとき、通信部１７による警告管理サーバ４との通信結果に基づいて、警告管理サーバ４が制限を緩和するように構成される。
【００６１】
また、通信部１７による警告管理サーバ４との通信は、処理を実行するための条件の不備が検出された情報信号、または情報信号の供給源の情報を警告管理サーバ４へ送信するように構成される。
【００６２】
また、情報信号の供給源は、記録媒体、またはネットワークを介してその他の装置から送信されるものであるように構成される。また、記録媒体はネットワークを介してその他の装置から送信される情報信号をダウンロードして記録するように構成される。
【００６３】
また、情報信号の供給源が記録媒体のとき、媒体種検出部９で検出される記録媒体の種類の検出信号に応じて、制御部１５が情報信号に対する処理の機能に制限を加えるように構成される。
【００６４】
図２は、他のコンテンツマネージメントシステムの構成例を示すブロック図である。
図２に示す他のコンテンツマネージメントシステム２１が図１　に示したコンテンツマネージメントシステム１の構成と異なる点は、図１　の使用者側機器２のドライブ部５に替えて図２ではネットワークを介して使用者側機器２と接続されているコンテンツ配信サーバ２２からネットワークを介して情報信号がストリーム監視系６に供給されるようにした点のみであり、他の点は図１　と同様であるため異なる点のみを説明し、同様の点の説明は省略する。
【００６５】
図２において、ネットワークを介して使用者側機器２と接続されているコンテンツ配信サーバ２２から情報信号がストリーム監視系６に供給されるように構成される。
【００６６】
図３は、他のコンテンツマネージメントシステムの構成例を示すブロック図である。
図３に示す他のコンテンツマネージメントシステム３１が図１に示したコンテンツマネージメントシステム１の構成と異なる点は、図１の使用者側機器２のストリーム監視系６の通信部１７および警告管理サーバ４を削除して簡略化した点のみであり、他の点は図１　と同様であるため同様の点の説明は省略する。
【００６７】
図４は、記録系の構成を示すブロック図である。
図４に示す記録系４１は、例えば、図１に示した再生系７と並列的に設けられ、ストリーム監視系６の信号ゲート部１０から分離された情報信号を入力とする。
【００６８】
図４において、記録系４１は、入力される情報信号の中から透かし検出用の信号を取り出すためのフィルタ４４と、透かし検出サーバ３に透かし検出用信号を送信する通信部４６と、透かし検出サーバ３で検出された電子透かし情報に対する検出結果を受信する通信部４７とを有して構成される。
【００６９】
また、記録系４１は、入力される情報信号を圧縮符号化する圧縮部４２と、圧縮符号化された情報信号を記録信号処理して記録ドライブ４５に対する記録動作を制御する記録制御部４３と、記録媒体に情報信号を記録する記録ドライブ４５とを有して構成される。
【００７０】
図５は、他の記録系の構成を示すブロック図である。図５　に示した他の記録系５１が図４　に示した記録系４１と異なる点は、図４　に示した記録系４１が圧縮符号化前の情報信号の中から透かし検出用信号を取り出すようにフィルタ４４を設けるのに対して、図５にした他の記録系５１は圧縮符号化後の情報信号の中から透かし検出用信号を取り出すようにフィルタ５４を設けるようにした点である。
【００７１】
図５に示す記録系５１は、例えば、図１に示した再生系７と並列的に設けられ、ストリーム監視系６の信号ゲート部１０から分離された情報信号を入力とする。
【００７２】
図５において、記録系５１は、入力される情報信号を圧縮符号化する圧縮部５２と、圧縮符号化される情報信号の中から透かし検出用の信号を取り出すためのフィルタ５４と、透かし検出サーバ３に透かし検出用信号を送信する通信部５６と、透かし検出サーバ３で検出された電子透かし情報に対する検出結果を受信する通信部５７とを有して構成される。
【００７３】
また、記録系５１は、圧縮符号化された情報信号を記録信号処理して記録ドライブ５５に対する記録動作を制御する記録制御部５３と、記録媒体に情報信号を記録する記録ドライブ５５とを有して構成される。
【００７４】
以下に、関連情報を検出するための検出用信号を情報信号から取り出すためのフィルタ４４、５４におけるパラメータの設定について説明する。
【００７５】
このとき、例えば、図２に示したコンテンツマネージメントシステムにおいて情報信号の供給源が記録媒体またはネットワークを介してその他の装置から送信されるとき、フィルタ４４，５４は、所定のパラメータの設定に応じて検出用信号を取り出すように構成される。なお、以下のパラメータの設定の説明は、特に図２に示した他のコンテンツパラメータシステムのみにおいて適用されるものではなく、上述した図１に示したコンテンツマネージメントシステムにおいても同様に適用することができるものである。
【００７６】
また、所定のパラメータは、検出用信号に基づく関連情報の検出への寄与率が高い部分を選択的に設定するように構成される。
【００７７】
また、所定のパラメータは、関連情報の周波数帯域を通過させる周波数帯域フィルタを設定するように構成される。
【００７８】
また、所定のパラメータは、関連情報が重畳された情報信号の再生時刻の範囲を設定するように構成される。
【００７９】
また、所定のパラメータは、関連情報が重畳された情報信号の再生映像のフレームまたはフィールドの範囲を設定するように構成される。
【００８０】
また、所定のパラメータは、関連情報が重畳された情報信号の再生映像の画素範囲を設定するように構成される。
【００８１】
また、所定のパラメータは、関連情報が重畳された情報信号の再生信号レベルの範囲を設定するように構成される。
【００８２】
また、所定のパラメータは、関連情報が重畳された情報信号の帯域分離された再生信号レベルの範囲を設定するように構成される。
【００８３】
また、所定のパラメータは、関連情報が重畳された情報信号の圧縮符号化時の変換係数を選択的に設定するように構成される。このとき、再生系７の圧縮復号部１８からの復号時の復号信号に基づいて、適切な変換係数を設定するようにすればよい。
【００８４】
また、所定のパラメータは、関連情報が重畳された情報信号のＭＰＥＧ（Ｍｏｖｉｎｇ　Ｐｉｃｔｕｒｅ　Ｅｘｐｅｒｔｓ　Ｇｒｏｕｐ）−２規格に準拠した圧縮符号化時のＧＯＰ（Ｇｒｏｕｐ　ｏｆ　Ｐｉｃｔｕｒｅ）構造のＩピクチャーを選択的に設定するように構成される。
【００８５】
また、透かし検出サーバ３からの検出結果により、情報信号の著作権を不当に害しようとする者からの攻撃が発覚し、フィルタ１１のパラメータの設定の不都合がわかれば、フィルタ１１のパラメータの設定を能動的に変更するように構成してもよい。
【００８６】
また、透かし検出サーバ３からの検出結果により、制御部１５が記録系の動作を制限するなどの制御動作が遅れてしまった場合、誤って記録系において記録してしまった部分を消去するように構成してもよい。
【００８７】
また、他にネットワークに接続された課金サーバを設けて、課金サーバに対する課金に応じて、制御部１５は制御動作の条件を変更するように構成してもよい。
【００８８】
このように構成されたコンテンツマネージメントシステムの動作を説明する。
図６は、コンテンツマネージメントシステムの動作を示すフローチャートである。また、動作に先立って、使用者側機器２内で、ドライブ部５、ストリーム監視系６、記録系４１，５１および再生系７と透かし検出サーバ３とは互いに認証し、通信はすべて暗号化し、使用者が改造できないように工夫されていることが望ましい。
【００８９】
ステップＳ１で、コンテンツの再生が行われる。具体的には、図１または図３に示したコンテンツマネージメントシステムでは、ドライブ５の光学ピックアップ８がディスク状記録媒体から情報信号を読み出して媒体種検出部９に供給する。媒体種検出部９は、記録媒体の種類が再生専用または記録再生可能であるかの種別信号を制御部１５に供給する。媒体種検出部９から情報信号がストリーム監視部６の信号ゲート１０に供給される。また、図２に示したコンテンツマネージメントシステム２１では、コンテンツ配信サーバ２２からネットワークを介して送信された情報信号を使用者側機器２のストリーム監視系６が受信する。
【００９０】
ステップＳ２で、透かし情報検出用信号の検出を行う。具体的には、ストリーム監視部６の信号ゲート１０は、情報信号を再生系７とストリーム監視系６との２つに分離する。信号ゲート１０からの情報信号はフィルタ１１に供給される。フィルタ１１は、情報信号の中から透かし検出用信号を取り出して、透かし検出用信号蓄積部１２に供給する。また、図４に示した記録系４１において、信号ゲート１０からの情報信号はフィルタ４４に供給される。フィルタ４４は、情報信号の中から透かし検出用信号を取り出して、通信部４６に供給する。図５に示した記録系５１において、信号ゲート１０からの情報信号は圧縮部５２に供給され、圧縮符号化される。圧縮符号化された情報信号はフィルタ５４に供給される。フィルタ５４は、圧縮符号化された情報信号の中から透かし検出用信号を取り出して、通信部５６に供給する。
【００９１】
このとき、使用者側機器２のフィルタ１１では、情報信号を一定時間サンプリングして情報信号の中から透かし検出用信号を取り出して、後述するように、ネットワーク経由で透かし検出サーバ３に送信する。ここで、使用者側機器２がネットワークに接続されていない場合のために、サンプリングした透かし検出用信号を透かし検出用信号蓄積部１２に蓄積する。
【００９２】
ステップＳ３で、透かし情報検出用信号を透かし検出サーバ３に送信する。具体的には、通信部１３は、透かし情報検出用信号を透かし検出サーバ３に送信する。図４、図５に示した記録系４１，５１において、通信部４６、５６は透かし検出用信号を透かし検出サーバ３に送信する。これにより、透かし検出のための複雑な処理を、透かし検出サーバ３側で行うことにより、使用者側機器２側の負担を軽くして使用者側機器２の内部の処理を途切れなく早くすることができる。
【００９３】
ここで、上述したように、使用者側機器２がネットワークに接続されていない場合には、使用者側機器２がネットワークに接続されたとき、透かし検出用信号蓄積部１２に蓄積されたサンプリングした透かし検出用信号が、通信部１３から使用者が送信を止めることができないように自動的に透かし検出サーバ３に送信される。
【００９４】
ステップＳ４で、検出結果を受信して複製・再生を制限する。具体的には、通信部１３は、透かし検出サーバ３から検出結果を受信する。通信部１３は、透かし検出結果蓄積部１４に検出結果を一旦蓄積する。制御部１５は、透かし検出結果蓄積部１４から検出結果を取り出して検出結果に基づいて再生系７の再生部１９の再生動作を制限する。また、図５に示した記録系４１、５１において、通信部４７，５７は、検出結果を記録制御部４３，５３に供給する。記録制御部４３，５３は、記録ドライブ４５，５５における圧縮符号化された情報信号の記録動作を検出結果に基づいて制限するように動作する。
【００９５】
ここで、透かし検出サーバ３で複製不可の検出結果が検出されたとき情報信号は違法コンテンツであるとみなされる。これは、通常のコンテンツは複製不可の透かし情報を情報信号に重畳して埋め込む場合はＣＳＳ（Ｃｏｎｔｅｎｔｓ　Ｓｃｒａｍｂｌｅ　Ｓｙｓｔｅｍ）というスクランブルがかかっているので、透かし情報が検出されないのに対して、違法に複製されたコンテンツはスクランブルがかからず、複製不可を示す透かし情報が検出されるという判断の前提に基づくものである。また、ドライブ部５の媒体種検出部９で媒体種を検出し記録可能な媒体から複製不可を示す透かし情報が検出された場合には情報信号は違法コンテンツであるとみなしてもよい。
【００９６】
透かし検出サーバ３が違法コンテンツを検出すると、使用者側機器２に検出結果を送り、使用者側機器２の透かし検出結果蓄積部１４に蓄積される。そして、これ以後、使用者側機器２で情報信号の再生中、該当コンテンツに限らず、どのコンテンツを再生していても、モニタ上に警告が表示される。警告は、「○月×日に再生された△というディスク（またはデータ）は違法複製品であるとみなされました。このモニタ上の警告を削除するためには下記に連絡をお願いします」等である。警告管理サーバ４は使用者側機器２から連絡を受け、違法コンテンツの入手経路などの解除条件情報を尋ね、違法コンテンツを以後入手しないことを警告した上で警告解除指令を使用者側機器２に送り、これにより、モニタ上の警告が解除される。
【００９７】
ステップＳ５で、透かし検出結果を保存する。具体的には、制御部１５は、制御動作を行った後に、透かし検出結果蓄積部１４に検出結果および制御動作内容を蓄積していく。
これにより、使用者側機器２に直接透かし情報の検出のための手段を設けないことにより、ストリーム監視系６の負担を軽減することと、透かし検出サーバ３側に透かし情報の検出のための手段を設けることにより、より高度な検出のための手段を装着することができ、さらに技術の進歩に伴って検出のための手段をレベルアップさせることができ、違法複製者の攻撃に対応することができる。
【００９８】
このような使用者側機器２から遠隔で透かし検出サーバ３により透かし情報検出を行う場合、使用者側機器２がネットワークに常時接続されているときは問題ないが、使用者側機器２が携帯端末等の場合にはネットワークに常時接続されていることは保証されないので、使用者側機器２側の透かし検出用信号蓄積部１２で透かし検出用信号を蓄積し、透かし検出結果蓄積部１４で透かし検出結果を蓄積する構成にすることにより、使用者側機器２がネットワークに接続されたときに、自動的に透かし検出用信号蓄積部１２で蓄積された透かし検出用信号を透かし検出サーバ３側に送り、透かし検出サーバ３側で透かし検出を行うだけで、透かし検出サーバ３側から送られてくる検出結果を透かし検出結果蓄積部１４で蓄積して、得られた検出結果を制御に利用することができる。
【００９９】
従来、透かし検出により違法ディスクなどの違法コンテンツが検出されると、この違法コンテンツの再生を停止したり、違法ディスクをドライブ部から排出したりすることは考えられていたが、上述した本実施の形態では、一旦違法コンテンツが検出されたら、使用者側機器２側では警告発生部１６から警告が表示され続け、警告管理サーバ４に対して解除手続きを行わないと警告発生部１６の警告が解除されないようにすることにより、使用者が使用者側機器２を操作するだけでは警告発生部１６の警告を解除することができないようにすることができるようにした。
【０１００】
図７は、複製・再生制限の動作を示すフローチャートである。図７は、図６のステップＳ４の処理の詳細動作を示すフローチャートである。図７の動作の主体は、図１、図２または図３に示したコンテンツマネージメントシステム１、２１，３１では、制御部１５である。また、図５に示した記録系４１、５１では、記録制御部４３，５３である。
【０１０１】
ステップＳ１１で、違法コンテンツの再生があったか否かを判断する。具体的には、図１、図２または図３に示したコンテンツマネージメントシステム１、２１，３１では、制御部１５は、情報信号の再生に伴って透かし検出サーバ３から送信される検出結果が違法なコンテンツであることを示す情報であることを判断する。また、図５に示した記録系４１、５１では、記録制御部４３，５３は、情報信号の再生に伴って透かし検出サーバ３から送信される検出結果が違法なコンテンツであることを示す情報であることを判断する。したがって、制御部１５は、常にリアルタイムに透かし検出サーバ３から検出結果の制御情報を取得して制御を行うのではなく、一旦、違法なコンテンツを再生したときに以下の制御を行う。
【０１０２】
ステップＳ１２で、警告表示を行う。具体的には、図１、図２または図３に示したコンテンツマネージメントシステム１、２１，３１では、制御部１５は、情報信号の再生に伴って透かし検出サーバ３から送信される検出結果が違法なコンテンツであることを示す情報であることを判断したときは、警告発生部１６に警告表示の動作を行うように制御する。また、図５に示した記録系４１、５１では、記録制御部４３，５３は、情報信号の再生に伴って透かし検出サーバ３から送信される検出結果が違法なコンテンツであることを示す情報であることを判断したときも同様に、警告発生部１６に警告表示の動作を行うように制御する。
【０１０３】
また、警告は一旦違法コンテンツが発見されると連続して出され、これを解除するには、後述するように、警告管理サーバ４と連絡をとり、解除信号を受け取ることにより始めて解除される。ここでの警告は、例えば、「違法なコンテンツが再生されました。この警告を消すには次の処置をして下さい」などの表示をモニタ上に行う。
【０１０４】
ここで、再生制御の場合には、ドライブ部５の媒体種検出部９からの媒体種検出結果と透かし検出用信号とを通信部１３からネットワークを介して透かし検出サーバ３に送信し、透かし検出サーバ３で透かし検出を行い、「記録禁止」を表す電子透かしの検出結果が検出され、そのときの媒体種検出結果が「記録可能媒体」であった場合は警告発生部１６が警告を発する。
【０１０５】
また、記録制限の場合には、従来は電子透かしを検出し、検出された電子透かしが「複製禁止」や「以後複製禁止」を表す電子透かしであった場合には、記録を止めるようにしていた。本実施の形態では、これに加えて、記録時にリアルタイムに電子透かしを検出せずに、使用者側機器２がネットワークに接続された時点で、記録制御部４３、５３は、上記の記録制限を行うようにする。
【０１０６】
ステップＳ１３で、違法コンテンツの再生が続行されているか否かを判断する。具体的には、図１、図２または図３に示したコンテンツマネージメントシステム１、２１，３１では、制御部１５は、情報信号の再生の続行に伴って透かし検出サーバ３から送信される検出結果が連続して違法なコンテンツであることを示す情報であることを判断する。また、図５に示した記録系４１、５１では、記録制御部４３，５３は、情報信号の再生の続行に伴って透かし検出サーバ３から送信される検出結果が連続して違法なコンテンツであることを示す情報であることを判断する。
【０１０７】
ステップＳ１４で、再生応答を遅くするか、または記録を禁止する。具体的には、図１、図２または図３に示したコンテンツマネージメントシステム１、２１，３１では、制御部１５は、透かし検出結果蓄積部１４から検出結果を取り出して検出結果に基づいて再生系７の再生部１９の再生動作の応答時間を遅くするように動作する。また、図５に示した記録系４１、５１において、記録制御部４３，５３は、記録ドライブ４５，５５における圧縮符号化された情報信号の記録動作を禁止するように動作する。
【０１０８】
このように、違法なコンテンツの再生が続く場合には、再生や記録の機能を制限したりすることで、違法コンテンツの再生を行う不当な使用者の意欲を減ずるようにすることができる。
【０１０９】
ここで、度重なる違法コンテンツの再生があったときには、例えば、再生画像を荒らす、再生の反応を遅くする、または再生を不可能にするなどの処理を行うようにしてもよい。
【０１１０】
ステップＳ１５で、解除条件を満足しかた否かを判断する。具体的には、図１、図２または図３に示したコンテンツマネージメントシステム１、２１，３１では、制御部１５は、警告管理サーバ４の解除手段に対する使用者側機器２からの違法コンテンツの情報信号の供給源情報または違法コンテンツの情報信号自体の提供により、警告管理サーバ４の解除手段から使用者側機器２における情報信号の処理の制限を解除または緩和する解除情報または緩和情報が供給されたことを判断する。また、図５に示した記録系４１、５１において、記録制御部４３，５３は、同様にして、警告管理サーバ４の解除手段に対する使用者側機器２からの違法コンテンツの情報信号の供給源情報または違法コンテンツの情報信号自体の提供により、警告管理サーバ４の解除手段から使用者側機器２における情報信号の処理の制限を解除または緩和する解除情報または緩和情報が供給されたことを判断する。
【０１１１】
ここで、解除条件としては、例えば、違法コンテンツの購入店の情報、違法コンテンツ自体などから１つまたは複数の項目を選択する。
【０１１２】
ステップＳ１６で、制限の解除を行う。具体的には、図１、図２または図３に示したコンテンツマネージメントシステム１、２１，３１では、制御部１５は、警告管理サーバ４の解除手段に対する使用者側機器２からの違法コンテンツの情報信号の供給源情報または違法コンテンツの情報信号自体の提供により、警告管理サーバ４の解除手段から使用者側機器２における情報信号の処理の制限を解除または緩和する解除情報または緩和情報が供給されたことを判断したとき、透かし検出結果蓄積部１４から検出結果を取り出して検出結果に基づいて再生系７の再生部１９の再生動作の応答時間を遅くするようにする動作を解除または緩和する。また、図５に示した記録系４１、５１において、記録制御部４３，５３は、同様にして、警告管理サーバ４の解除手段に対する使用者側機器２からの違法コンテンツの情報信号の供給源情報または違法コンテンツの情報信号自体の提供により、警告管理サーバ４の解除手段から使用者側機器２における情報信号の処理の制限を解除または緩和する解除情報または緩和情報が供給されたことを判断したとき、記録ドライブ４５，５５における圧縮符号化された情報信号の記録動作を禁止するようにする動作を解除または緩和する。
【０１１３】
上述した解除条件が満たされたときに情報信号の処理の制限を解除または緩和するようにすることができる。また、解除は、警告管理サーバ４が暗号化などの手法で安全に使用者側機器２と通信して行うことにより、例えば、解除対象の再生部１９の制御を行うようにしてもよい。また、警告管理サーバ４の制限の解除または緩和動作は、著作権者からの依頼で行われる場合と著作権者自らが行う場合があり得る。
【０１１４】
図８は、透かし検出結果の保存の動作を示すフローチャートである。図８は、図６のステップＳ５の処理の詳細動作を示すフローチャートである。図８の動作の主体は、図１、図２または図３に示したコンテンツマネージメントシステム１、２１，３１では、制御部１５である。また、図５に示した記録系４１、５１では、記録制御部４３，５３である。
【０１１５】
ステップＳ２１で、違法コンテンツの再生結果を蓄積する。具体的には、図１、図２または図３に示したコンテンツマネージメントシステム１、２１，３１では、制御部１５は、制御動作を行った後に、透かし検出結果蓄積部１４に検出結果および制御動作内容を蓄積していく。また、図５に示した記録系４１、５１では、記録制御部４３，５３は、同様にして制御動作を行った後に、透かし検出結果蓄積部１４に検出結果および制御動作内容を蓄積していく。
【０１１６】
ステップＳ２２で、一定期間毎に管理サーバと通信を行う。具体的には、図１、図２または図３に示したコンテンツマネージメントシステム１、２１，３１では、制御部１５は、違法コンテンツの再生による検出結果および解除情報もしくは緩和情報を透かし検出結果蓄積部１４に蓄積して、毎月または毎年という単位で警告管理サーバ４と通信を行う。また、図５に示した記録系４１、５１では、記録制御部４３，５３は、同様にして違法コンテンツの再生による検出結果および解除情報もしくは緩和情報を透かし検出結果蓄積部１４に蓄積して、毎月または毎年という単位で警告管理サーバ４と通信を行う。
【０１１７】
このように、リアルタイムに透かし検出サーバ３から検出結果の制御情報を取得して制御を行うのではないため、必ずしも使用者側機器２が常にネットワークに接続していなくても、使用者側機器２がネットワークに接続された時点で制御を行うことができる。この場合、通信部１３、１７の通信手段は、直接ネットワークや電話回線に接続する方法や、記録可能なディスク状記録媒体やＩＣカードなどの記録媒体を用いてネットワークに接続されたパーソナルコンピュータから通信を行うようにしてもよい。
【０１１８】
ステップＳ２３で、違法コンテンツの流通経路の調査を行う。具体的には、図１、図２または図３に示したコンテンツマネージメントシステム１、２１，３１では、制御部１５は、透かし検出結果蓄積部１４に蓄積の結果から、違法コンテンツの流通経路が判明したときは、警告管理サーバ４に報告を行う。また、図５に示した記録系４１、５１では、記録制御部４３，５３は、同様にして透かし検出結果蓄積部１４に蓄積の結果から、違法コンテンツの流通経路が判明したときは、警告管理サーバ４に報告を行う。
【０１１９】
なお、ドライブ部５の記録媒体の種別によって、以下のように制御するようにしてもよい。第１に、使用者側機器２において、ドライブ部５の記録媒体がライトワンス媒体の場合には、リハーサルモードを設けて、制御部１５が記録に先立って透かし検出サーバ３からの電子透かしの検出結果を判断してから、記録部４１，５１の記録を開始するようにしてもよい。
【０１２０】
第２に、使用者側機器２において、ドライブ部５の記録媒体が媒体ユニークコードを使用可能の場合には、制御部１５が記録部４１，５１の記録を一旦実行してしまうが、後で電子透かしの検出結果が「複製禁止」や「以後複製禁止」の場合には、この検出結果が検出された媒体のユニークコードを使用者側機器２内の記憶手段に登録しておき、以後この登録内容を消去するまで、再生部の再生を不可能にするようにしてもよい。また、その媒体のユニークコードを警告管理サーバ４の記憶手段に登録し、ネットワークに接続された使用者側機器２では再生部の再生を不可能にするようにしてもよい。
【０１２１】
第３に、使用者側機器２において、ドライブ部５の記録媒体が媒体ユニークコードを使用不可能の場合には、制御部１５が記録部４１，５１の記録媒体に対する記録を実行する際に、記録媒体のシリーズ番号を記録し、このシリーズ番号を使用者側機器２内のユニークコードとするようにしてもよい。また、上述したものを使用者側機器２のシリアル番号と組み合わせれば、第２の場合と同様にユニークコードを警告管理サーバ４の記憶手段に登録し、ネットワークに接続された使用者側機器２では再生部の再生を不可能にするようにしてもよい。
【０１２２】
第４に、使用者側機器２において、ドライブ部５の記録媒体からＣＧＭＳ（Ｃｏｐｙ　Ｇｅｎｅｒａｔｉｏｎ　Ｍａｎａｇｅｍｅｎｔ　Ｓｙｓｔｅｍ）−Ａ（Ａｎａｌｏｇ），ＣＧＭＳ−Ｄ（Ｄｉｇｉｔａｌ）またはＡＰＳ（ＡｎａｌｏｇＰｒｏｔｅｃｔｉｏｎ　Ｓｙｓｔｅｍ）などの他の複製制御情報が得られる場合には、それらの複製制御情報が電子透かしの検出結果の方より厳しい複製制限が検出されたことが制御部１５により判断された場合は、違法複製の疑いがあるので、上記の再生制限のときと同じように警告発生部１６から警告を発し、それが度重なる場合は再生の反応を遅くしたり機能を制限したりすることにより、不当な使用者の違法コンテンツの記録の意欲を減ずるようにしてもよい。
【０１２３】
また、電子透かしを含む複数の複製制御情報に齟齬が発生している場合、違法な使用者側機器２を使う可能性の高い使用者となみし、例えば、電子透かし検出サーバ３との通信回数を増やすなど、より厳しい制御をするようにしてもよい。
【０１２４】
上述した本実施の形態によれば、電子透かしの検出を記録装置や再生装置内で行う必要がなくなるので、使用者側装置の負担を軽くすることができる。また、万が一、不当な使用者の違法コンテンツの記録や再生を行った場合、その、使用者側機器２に直接透かし情報の検出のための手段を設けないことにより、ストリーム監視系６の負担を軽減することと、透かし検出サーバ３側に透かし情報の検出のための手段を設けることにより、不当な使用者の違法コンテンツの記録や再生に対応できるように、より高度な検出のための手段を装着することができ、さらに技術の進歩に伴って検出のための手段をレベルアップさせることができ、違法複製者の攻撃に対応することができる。
【０１２５】
また、上述した使用者側機器２から遠隔で透かし検出サーバ３により透かし情報検出を行う場合、使用者側機器２側の透かし検出用信号蓄積部１２で透かし検出用信号を蓄積し、透かし検出結果蓄積部１４で透かし検出結果を蓄積する構成にすることにより、使用者側機器２がネットワークに接続されたときに、自動的に透かし検出用信号蓄積部１２で蓄積された透かし検出用信号を透かし検出サーバ３側に送り、透かし検出サーバ３側で透かし検出を行うだけで、透かし検出サーバ３側から送られてくる検出結果を透かし検出結果蓄積部１４で蓄積して、得られた検出結果を制御に利用することができる。
【０１２６】
【発明の効果】
この発明の情報処理装置は、情報信号に関する関連情報を検出するための検出用信号を取出して上記検出用信号に基づいてネットワークに接続されている他の装置と所定情報の通信をする情報処理装置において、情報信号に対して繰り返し重畳されている同一の関連情報を検出するための検出用信号を取り出す検出用信号取り出し手段と、上記検出用信号を他の装置に送信し、上記検出用信号から検出された関連情報に対する処理結果を受信する通信手段と、上記処理結果を用いて上記情報信号の処理を制限するように制御する制御手段と、上記処理結果を他の装置と通信可能に保存する保存手段とを備えたので、関連情報の検出を記録装置や再生装置内で行う必要がなくなるので、使用者側装置の負担を軽くすることができるという効果を奏する。
【０１２７】
また、この発明の情報処理装置は、上述において、検出用信号は、上記情報信号に重畳された電子透かし情報であるので、電子透かしの検出を記録装置や再生装置内で行う必要がなくなるので、使用者側装置の負担を軽くすることができるという効果を奏する。
【０１２８】
また、この発明の情報処理装置は、上述において、上記検出用信号は、上記電子透かし情報を検出するためのコンテンツ情報であるので、コンテンツ情報をサンプリングして電子透かし情報の検出に用いることができるという効果を奏する。
【０１２９】
また、この発明の情報処理装置は、上述において、上記検出用信号は、上記電子透かし情報を検出するためのコンテンツ情報の中で検出に必要な要素を選択したものであるので、コンテンツ情報の中で検出に必要な要素を選択して電子透かし情報の検出に用いることができるという効果を奏する。
【０１３０】
また、この発明の情報処理装置は、上述において、上記制御手段は、上記処理結果に基づいて、上記情報信号に対する処理を実行するための条件の不備が検出されたときに警告を発生するので、違法なコンテンツの再生や記録に対して警告を発することができるという効果を奏する。
【０１３１】
また、この発明の情報処理装置は、上述において、上記制御手段は、上記処理結果に基づいて、上記情報信号に対する処理を実行するための条件の不備が検出されたときに警告を発生する際にその検出回数に応じて警告を変化して発生するので、違法なコンテンツの再生や記録に対して警告を発する際にその検出回数が増加するごとに警告を厳しくし、検出回数が低下するごとに警告を緩和させることができるという効果を奏する。
【０１３２】
また、この発明の情報処理装置は、上述において、上記制御手段は、上記処理結果に基づいて、上記情報信号に対する処理を実行するための条件の不備が検出されたときにその検出回数に応じて上記情報信号に対する処理の機能に制限を加えるので、違法なコンテンツの再生や記録に対して制限を加える際にその検出回数が増加するごとに制限を厳しくし、検出回数が低下するごとに制限を緩和させることができるという効果を奏する。
【０１３３】
また、この発明の情報処理装置は、上述において、上記制御手段は、上記保存手段に保存された処理結果に基づいて、上記情報信号に対する処理を実行するための条件の不備が検出されたときに上記情報信号に対する次回の処理を停止するので、違法なコンテンツの再生や記録に対して次回の再生や記録の処理を停止することができるという効果を奏する。
【０１３４】
また、この発明の情報処理装置は、上述において、上記制御手段は、上記保存手段に保存された処理結果に基づいて、上記情報信号に対する処理を実行するための条件の不備が検出されたときに他の装置における上記情報信号に対する処理の機能に制限を加えるので、他の情報処理装置でも違法なコンテンツの再生や記録に対して再生や記録の処理の機能に制限を加えることができるという効果を奏する。
【０１３５】
また、この発明の情報処理装置は、上述において、上記検出用信号は、上記電子透かし情報を検出するためのコンテンツ情報の特徴量または上記特徴量抽出のためのコンテンツ情報であるので、検出を容易にするコンテンツ情報の特徴量または特徴量抽出のためのコンテンツ情報を電子透かし情報の検出に用いることができるという効果を奏する。
【０１３６】
また、この発明の情報処理装置は、上述において、上記制御手段が、上記処理結果に基づいて、上記情報信号に対する処理を実行するための条件の不備が検出されたときに警告を発生する際にその検出回数に応じて警告を変化して発生したとき、上記通信手段による上記その他の装置との通信結果に基づいて、上記その他の装置が上記警告を解除するので、解除条件が満たされたときに情報信号の処理に対する警告を解除することができるという効果を奏する。
【０１３７】
また、この発明の情報処理装置は、上述において、上記制御手段が、上記処理結果に基づいて、上記情報信号に対する処理を実行するための条件の不備が検出されたときにその検出回数に応じて上記情報信号に対する処理の機能に制限を加えるとき、上記通信手段による上記その他の装置との通信結果に基づいて、上記その他の装置が上記制限を緩和するので、解除条件が満たされたときに情報信号の処理の制限を緩和することができるという効果を奏する。
【０１３８】
また、この発明の情報処理装置は、上述において、上記通信手段による上記その他の装置との通信は、上記処理を実行するための条件の不備が検出された上記情報信号、または上記情報信号の供給源の情報を上記その他の装置へ送信するので、違法コンテンツ自体または違法コンテンツの販売店などの情報の提供を警告の解除条件にすることができるという効果を奏する。
【０１３９】
また、この発明の情報処理装置は、上述において、上記通信手段による上記その他の装置との通信は、上記情報信号に対する処理を実行するための条件の不備が検出された上記情報信号、または上記情報信号の供給源の情報を上記その他の装置へ送信するので、違法コンテンツ自体または違法コンテンツの販売店などの情報の提供を制限の緩和条件にすることができるという効果を奏する。
【０１４０】
また、この発明の情報処理装置は、上述において、上記情報信号の供給源は、記録媒体、またはネットワークを介してその他の装置から送信されるので、記録媒体を再生する際の情報信号、またはネットワークを介して配信される情報信号に対する関連情報の検出を記録装置や再生装置内で行う必要がなくなるので、使用者側装置の負担を軽くすることができるという効果を奏する。
【０１４１】
また、この発明の情報処理装置は、上述において、上記情報信号の供給源が記録媒体のとき、上記記録媒体の種類に応じて、上記制御手段が上記情報信号に対する処理の機能に制限を加えるので、記録媒体の種別による複製制限情報を関連情報の検出結果と合わせて情報信号に対する処理の制限をすることができるという効果を奏する。
【０１４２】
また、この発明の情報処理装置は、上述において、上記情報信号の供給源がネットワークを介してその他の装置から送信されるとき、上記検出用信号取り出し手段は、所定のパラメータの設定に応じて検出用信号を取り出すので、配信されるコンテンツに適応したパラメータを選択して設定することができるという効果を奏する。
【０１４３】
また、この発明の情報処理装置は、上述において、上記所定のパラメータは、上記検出用信号に基づく関連情報の検出への寄与率が高い部分を選択的に設定するので、検出の寄与率の高い部分から関連情報の検出を容易にすることができるという効果を奏する。
【０１４４】
また、この発明の情報処理装置は、上述において、上記所定のパラメータは、上記関連情報の周波数帯域を通過させる周波数帯域フィルタを設定するので、任意の周波数帯域の関連情報の検出を容易にすることができるという効果を奏する。
【０１４５】
また、この発明の情報処理装置は、上述において、上記所定のパラメータは、上記関連情報が重畳された情報信号の再生時刻の範囲を設定するので、任意の再生時刻の関連情報の検出を容易にすることができるという効果を奏する。
【０１４６】
また、この発明の情報処理装置は、上述において、上記所定のパラメータは、上記関連情報が重畳された情報信号の再生映像のフレームまたはフィールドの範囲を設定するので、任意の再生映像のフレームまたはフィールドの関連情報の検出を容易にすることができるという効果を奏する。
【０１４７】
また、この発明の情報処理装置は、上述において、上記所定のパラメータは、上記関連情報が重畳された情報信号の再生映像の画素範囲を設定するので、任意の画素範囲の関連情報の検出を容易にすることができるという効果を奏する。
【０１４８】
また、この発明の情報処理装置は、上述において、上記所定のパラメータは、上記関連情報が重畳された情報信号の再生信号レベルの範囲を設定するので、任意の再生信号レベルの関連情報の検出を容易にすることができるという効果を奏する。
【０１４９】
また、この発明の情報処理装置は、上述において、所定のパラメータは、上記関連情報が重畳された情報信号の帯域分離された再生信号レベルの範囲を設定するので、任意の帯域分離された再生信号レベルの関連情報の検出を容易にすることができるという効果を奏する。
【０１５０】
また、この発明の情報処理装置は、上述において、上記所定のパラメータは、上記関連情報が重畳された情報信号の圧縮符号化時の変換係数を選択的に設定するので、例えば圧縮符号化係数の比較的中、低域成分の任意の帯域の関連情報の検出を容易にすることができるという効果を奏する。
【０１５１】
また、この発明の情報処理装置は、上述において、上記所定のパラメータは、上記関連情報が重畳された情報信号のＭＰＥＧ−２規格に準拠した圧縮符号化時のＧＯＰ構造のＩピクチャーを選択的に設定するので、静止画像として取り出すことができる任意の関連情報の検出を容易にすることができるという効果を奏する。
【０１５２】
また、この発明の情報処理方法は、情報信号に関する関連情報を検出するための検出用信号を取出して上記検出用信号に基づいてネットワークに接続されている他の装置と所定情報の通信をする情報処理方法において、情報信号に対して繰り返し重畳されている同一の関連情報を検出するための検出用信号を取り出す検出用信号取り出しステップと、上記検出用信号を他の装置に送信し、上記検出用信号から検出された関連情報に対する処理結果を受信する通信ステップと、上記処理結果を用いて上記情報信号の処理を制限するように制御する制御ステップと、上記処理結果を他の装置と通信可能に保存する保存ステップとを備えたので、関連情報の検出を記録装置や再生装置内で行う必要がなくなるので、使用者側装置の負担を軽くすることができるという効果を奏する。
【０１５３】
また、この発明の情報処理方法は、上述において、上記検出用信号は、上記情報信号に重畳された電子透かし情報であるので、電子透かしの検出を記録装置や再生装置内で行う必要がなくなるので、使用者側装置の負担を軽くすることができるという効果を奏する。
【０１５４】
また、この発明の情報処理方法は、上述において、上記検出用信号は、上記電子透かし情報を検出するためのコンテンツ情報であるので、コンテンツ情報をサンプリングして電子透かし情報の検出に用いることができるという効果を奏する。
【０１５５】
また、この発明の情報処理方法は、上述において、上記検出用信号は、上記電子透かし情報を検出するためのコンテンツ情報の中で検出に必要な要素を選択したので、コンテンツ情報の中で検出に必要な要素を選択して電子透かし情報の検出に用いることができるという効果を奏する。
【０１５６】
また、この発明の情報処理方法は、上述において、制御ステップは、上記処理結果に基づいて、上記情報信号に対する処理を実行するための条件の不備が検出されたときに警告を発生するので、違法なコンテンツの再生や記録に対して警告を発することができるという効果を奏する。
【０１５７】
また、この発明の情報処理方法は、上述において、上記制御ステップは、上記処理結果に基づいて、上記情報信号に対する処理を実行するための条件の不備が検出されたときに警告を発生する際にその検出回数に応じて警告を変化して発生するので、違法なコンテンツの再生や記録に対して警告を発する際にその検出回数が増加するごとに警告を厳しくし、検出回数が低下するごとに警告を緩和させることができるという効果を奏する。
【０１５８】
また、この発明の情報処理方法は、上述において、上記制御ステップは、上記処理結果に基づいて、上記情報信号に対する処理を実行するための条件の不備が検出されたときにその検出回数に応じて上記情報信号に対する処理の機能に制限を加えるので、違法なコンテンツの再生や記録に対して警告を発する際にその検出回数が増加するごとに制限を厳しくし、検出回数が低下するごとに制限を緩和させることができるという効果を奏する。
【０１５９】
また、この発明の情報処理方法は、上述において、上記制御ステップは、上記保存手段に保存された処理結果に基づいて、上記情報信号に対する処理を実行するための条件の不備が検出されたときに上記情報信号に対する次回の処理を停止するので、違法なコンテンツの再生や記録に対して次回の再生や記録の処理を停止することができるという効果を奏する。
【０１６０】
また、この発明の情報処理方法は、上述において、上記制御ステップは、上記保存手段に保存された処理結果に基づいて、上記情報信号に対する処理を実行するための条件の不備が検出されたときに他の装置における上記情報信号に対する処理の機能に制限を加えるので、他の情報処理装置でも違法なコンテンツの再生や記録に対して再生や記録の処理の機能に制限を加えることができるという効果を奏する。
【０１６１】
また、この発明の情報処理方法は、上述において、上記検出用信号は、上記電子透かし情報を検出するためのコンテンツ情報の特徴量または上記特徴量抽出のためのコンテンツ情報であるので、検出を容易にするコンテンツ情報の特徴量または特徴量抽出のためのコンテンツ情報を電子透かし情報の検出に用いることができるという効果を奏する。
【０１６２】
また、この発明の情報処理方法は、上述において、制御ステップが、上記処理結果に基づいて、上記情報信号に対する処理を実行するための条件の不備が検出されたときに警告を発生する際にその検出回数に応じて警告を変化して発生したとき、上記通信ステップによる上記その他の装置との通信結果に基づいて、上記その他の装置が上記警告を解除するので、解除条件が満たされたときに情報信号の処理に対する警告を解除することができるという効果を奏する。
【０１６３】
また、この発明の情報処理方法は、上述において、上記制御ステップが、上記処理結果に基づいて、上記情報信号に対する処理を実行するための条件の不備が検出されたときにその検出回数に応じて上記情報信号に対する処理の機能に制限を加えるとき、上記通信ステップによる上記その他の装置との通信結果に基づいて、上記その他の装置が上記制限を緩和するので、解除条件が満たされたときに情報信号の処理の制限を緩和することができるという効果を奏する。
【０１６４】
また、この発明の情報処理方法は、上述において、上記通信ステップによる上記その他の装置との通信は、上記処理を実行するための条件の不備が検出された上記情報信号、または上記情報信号の供給源の情報を上記その他の装置へ送信するので、違法コンテンツ自体または違法コンテンツの販売店などの情報の提供を警告の解除条件にすることができるという効果を奏する。
【０１６５】
また、この発明の情報処理方法は、上述において、通信ステップによる上記その他の装置との通信は、上記情報信号に対する処理を実行するための条件の不備が検出された上記情報信号、または上記情報信号の供給源の情報を上記その他の装置へ送信するので、違法コンテンツ自体または違法コンテンツの販売店などの情報の提供を制限の緩和条件にすることができるという効果を奏する。
【０１６６】
また、この発明の情報処理方法は、上述において、上記情報信号の供給源は、記録媒体、またはネットワークを介してその他の装置から送信されるので、記録媒体を再生する際の情報信号、またはネットワークを介して配信される情報信号に対する関連情報の検出を記録装置や再生装置内で行う必要がなくなるので、使用者側装置の負担を軽くすることができるという効果を奏する。
【０１６７】
また、この発明の情報処理方法は、上述において、上記情報信号の供給源が記録媒体のとき、上記記録媒体の種類に応じて、上記制御手段が上記情報信号に対する処理の機能に制限を加えるので、記録媒体の種別による複製制限情報を関連情報の検出結果と合わせて情報信号に対する処理の制限をすることができるという効果を奏する。
【０１６８】
また、この発明の情報処理方法は、上述において、上記情報信号の供給源がネットワークを介してその他の装置から送信されるとき、上記検出用信号取り出しステップは、所定のパラメータの設定に応じて検出用信号を取り出すので、配信されるコンテンツに適応したパラメータを選択して設定することができるという効果を奏する。
【０１６９】
また、この発明の情報処理方法は、上述において、上記所定のパラメータは、上記検出用信号に基づく関連情報の検出への寄与率が高い部分を選択的に設定するので、検出の寄与率の高い部分から関連情報の検出を容易にすることができるという効果を奏する。
【０１７０】
また、この発明の情報処理方法は、上述において、上記所定のパラメータは、上記関連情報の周波数帯域を通過させる周波数帯域フィルタを設定するので、任意の周波数帯域の関連情報の検出を容易にすることができるという効果を奏する。
【０１７１】
また、この発明の情報処理方法は、上述において、上記所定のパラメータは、上記関連情報が重畳された情報信号の再生時刻の範囲を設定するので、任意の再生時刻の関連情報の検出を容易にすることができるという効果を奏する。
【０１７２】
また、この発明の情報処理方法は、上述において、上記所定のパラメータは、上記関連情報が重畳された情報信号の再生映像のフレームまたはフィールドの範囲を設定するので、任意の再生映像のフレームまたはフィールドの関連情報の検出を容易にすることができるという効果を奏する。
【０１７３】
また、この発明の情報処理方法は、上述において、上記所定のパラメータは、上記関連情報が重畳された情報信号の再生映像の画素範囲を設定するので、任意の画素範囲の関連情報の検出を容易にすることができるという効果を奏する。
【０１７４】
また、この発明の情報処理方法は、上述において、上記所定のパラメータは、上記関連情報が重畳された情報信号の再生信号レベルの範囲を設定するので、任意の再生信号レベルの関連情報の検出を容易にすることができるという効果を奏する。
【０１７５】
また、この発明の情報処理方法は、上述において、上記所定のパラメータは、上記関連情報が重畳された情報信号の帯域分離された再生信号レベルの範囲を設定するので、任意の帯域分離された再生信号レベルの関連情報の検出を容易にすることができるという効果を奏する。
【０１７６】
また、この発明の情報処理方法は、上述において、上記所定のパラメータは、上記関連情報が重畳された情報信号の圧縮符号化時の変換係数を選択的に設定するので、例えば圧縮符号化係数の比較的中、低域成分の任意の帯域の関連情報の検出を容易にすることができるという効果を奏する。
【０１７７】
また、この発明の情報処理方法は、上述において、所定のパラメータは、上記関連情報が重畳された情報信号のＭＰＥＧ−２規格に準拠した圧縮符号化時のＧＯＰ構造のＩピクチャーを選択的に設定するので、静止画像として取り出すことができる任意の関連情報の検出を容易にすることができるという効果を奏する。
【０１７８】
また、この発明の情報処理システムは、情報信号に関する関連情報を検出するための検出用信号を取出して上記検出用信号に基づいてネットワークに接続されている他の装置と所定情報の通信をする情報処理装置と、上記情報処理装置とネットワークを介して接続されている他の装置とを有する情報処理システムにおいて、情報信号に対して繰り返し重畳されている同一の関連情報を検出するための検出用信号を取り出す検出用信号取り出し手段と、上記検出用信号を他の装置に送信し、上記検出用信号から検出された関連情報に対する処理結果を受信する通信手段と、上記処理結果を用いて上記情報信号の処理を制限するように制御する制御手段と、上記処理結果を他の装置と通信可能に保存する保存手段と、を有する情報処理装置と、上記情報処理装置から上記検出用信号を受信し、上記処理結果を上記情報処理装置へ送信する通信手段と、上記検出用信号から関連情報を検出し、上記関連情報に基づく処理結果を得る検出手段と、上記情報処理装置における上記情報信号の処理の制限を解除または緩和する解除手段を有するその他の装置とを備えたので、関連情報の検出を記録装置や再生装置内で行う必要がなくなるので、使用者側装置の負担を軽くすることができると共に、上記情報信号に対する処理を実行するための条件の不備が検出されたときに警告を発生するので、違法なコンテンツの再生や記録に対して警告を発して処理の制限をすることができ、解除条件が満たされたときに情報信号の処理の制限を解除することができるという効果を奏する。
【図面の簡単な説明】
【図１】本実施の形態に適用されるコンテンツマネージメントシステムの構成例を示すブロック図である。
【図２】他のコンテンツマネージメントシステムの構成例を示すブロック図である。
【図３】他のコンテンツマネージメントシステムの構成例を示すブロック図である。
【図４】記録系の構成を示すブロック図である。
【図５】他の記録系の構成を示すブロック図である。
【図６】コンテンツマネージメントシステムの動作を示すフローチャートである。
【図７】複製・再生制限の動作を示すフローチャートである。
【図８】透かし検出結果の保存の動作を示すフローチャートである。
【符号の説明】
１　……コンテンツマネージメントシステム、２……使用者側機器、３……透かし検出サーバ、４……警告管理サーバ、５……ドライブ部、６……ストリーム監視部、７……再生系、８……光学ピックアップ部、９……媒体種検出部、１０……信号ゲート部、１１……フィルタ部、１２……透かし検出用信号蓄積部、１３……通信部、１４……透かし検出結果蓄積部、１５……制御部、１６……警告発生部、１７……通信部、１８……圧縮復号部、１９……再生部、２１……コンテンツマネージメントシステム、２２……コンテンツ配信サーバ、３１……コンテンツマネージメントシステム、４１……記録系、４２……圧縮部、４３……記録制御部、４４……フィルタ部、４５……記録ドライブ部、４６，４７……通信部、５１……記録系、５２……圧縮部、５３……記録制御部、５４……フィルタ部、５５……記録ドライブ部、５６，５７……通信部
【図１】
2004054710.tif 000008
【図２】
2004054710.tif 000009
【図３】
2004054710.tif 000010
【図４】
2004054710.tif 000011
【図５】
2004054710.tif 000012
【図６】
2004054710.tif 000013
【図７】
2004054710.tif 000014
【図８】
2004054710.tif 000015